(57)【要約】【課題】RZ光データをNRZ光データに変換して、NRZ光データの伝送ジッタを低減する技術を提供する。  【解決手段】本発明によれば、光パルスを光学的に引き伸ばして、関連する光データを第１のフォーマット（RZ）から第２のフォーマット（NRZ）に変換するための方法及び装置が得られる。さらに、本発明によれば、光パルスを備える光データ・ストリームのジッタを光学的に低減させて、低ジッタ光データの伝送を可能にするための方法及び装置も得られる。本発明は、光パルスを引き伸ばして、関連光データをRZからNRZに変換するための装置を提供する。この装置は、第１の主軸、第１の主軸に直交する第２の主軸、及び、光パルスの持続時間に関係する長さを備えており、前記光パルスを伝搬するのに適した複屈折媒体と、複屈折媒体に結合され、直線偏光した光パルスを受信するように適合された入力と、を有する。【選択図】図２Ａ
2004201327.tif 000002
【特許請求の範囲】
【請求項１】
光パルスを引き伸ばして、関連光データを第１のフォーマットから第２のフォーマットに変換するための装置であって、
第１の主軸、前記第１の主軸に対して直交する第２の主軸、及び、ある長さを備えており、前記第１の主軸に沿った前記長さにわたる伝搬と前記第２の主軸に沿った前記長さにわたる伝搬との時間差が、光パルスの持続時間に基づくようになっている、前記光パルスを伝搬するのに適した複屈折媒体と、
前記複屈折媒体に結合されており、前記第１の主軸に対して第１の角度をなし、前記第２の主軸に対して第２の角度をなすように直線偏光した前記光パルスを受信するように適合された入力と、
を有する装置。
【請求項２】
前記複屈折媒体が光ファイバである、請求項１に記載の装置。
【請求項３】
前記光ファイバが、偏光維持ファイバである、請求項２に記載の装置。
【請求項４】
前記第１の角度が約４５度であり、前記第２の角度が約４５度である、請求項１に記載の装置。
【請求項５】
前記時間差が、前記光パルスの前記持続時間にほぼ等しい、請求項１に記載の装置。
【請求項６】
前記第１のフォーマットが光学ＲＺ（ゼロ復帰）フォーマットであり、前記第２のフォーマットが光学ＮＲＺ（非ゼロ復帰）フォーマットである、請求項１に記載の装置。
【請求項７】
光データを送信するためのシステムであって、
第１のフォーマットで符号化された第１の光データを生成するように適合された光データ生成器と、
前記第１の光データを受信するように適合され、前記第１のフォーマットから第２のフォーマットに変換することによって、前記第１の光データに関連したジッタを低減させ、前記第２のフォーマットで符号化された第２の光データを出力する光学リタイミング装置と、
前記第２の光データを受信して、前記第２の光データを引き伸ばし、前記第２のフォーマットから前記第１のフォーマットに変換するようになっている装置と、
を有し、該装置が、
第１の主軸、前記第１の主軸に対して直交する第２の主軸、及び、ある長さを備えており、前記第１の主軸に沿った前記長さにわたる伝搬と前記第２の主軸に沿った前記長さにわたる伝搬との時間差が、前記第２の光データに関連した光パルスの持続時間に基づくようになっている、前記第２の光データを伝搬するのに適した複屈折媒体と、
前記複屈折媒体に結合されており、前記第１の主軸に対して第１の角度をなし、前記第２の主軸に対して第２の角度をなすように直線偏光した前記第２の光データを受信するように適合された入力と、を含む
システム。
【請求項８】
前記複屈折媒体が光ファイバである、請求項７に記載のシステム。
【請求項９】
前記光ファイバが、偏光維持ファイバである、請求項８に記載のシステム。
【請求項１０】
前記第１の角度が約４５度であり、前記第２の角度が約４５度である、請求項７に記載のシステム。
【発明の詳細な説明】
【技術分野】
【０００１】
本発明は、一般に、光システムに関するものである。とりわけ、本発明は、光学システムにおける、ＲＺ（return-to-zero、ゼロ復帰）光データからＮＲＺ（non-return-to-zero、非ゼロ復帰）光データへの光学的変換に関するものである。
【背景技術】
【０００２】
さまざまな実際の用途において、光パルスを「引き伸ばして」、その形状を変化させ、もとの光パルスよりも長い時間間隔にわたってそのエネルギを分布させるのが望ましい。先行技術の図１には、パルスを引き伸ばすための従来型システムが示されている。この従来型システムは、分割遅延和（split-delay-sum）パルスストレッチャーとしても知られている。
【０００３】
先行技術の図１に示すように、分割遅延和パルスストレッチャー１００は、入力パルス１０を受信する。パルス・スプリッタ２０は、入力パルス１０を２つの等しいパルス部分１０Ａ及び１０Ｂに分割する。遅延素子３０は、パルス部分１０Ａに対してパルス部分１０Ｂを遅延させる。さらに、パルス・コンバイナ４０は、２つの等しいパルス部分１０Ａ及び１０Ｂを組み合わせて、その幅（または持続時間）が遅延素子３０から付加される遅延量だけ入力パルス１０を超える、引き伸ばされたパルス５０を形成する。
【０００４】
分割遅延和パルスストレッチャー１００が適正に機能するように、パルス部分１０Ａ及び１０Ｂは、パルス・コンバイナ４０においてコヒーレントに付加してはならない。パルス部分１０Ａ及び１０Ｂが、光パルスではなく、ベースバンド電圧パルスである場合、パルス・コンバイナ４０において問題が生じることはない。しかし、パルス部分１０Ａ及び１０Ｂが光パルスの場合、入力光パルス１０の光のコヒーレンス時間が、遅延素子３０によって生じる遅延より長いと、組合せパルス部分１０Ａと１０Ｂの間に干渉（弱め合う、または、強め合う）が生じることになる。この干渉によって、引き伸ばされる光パルス５０の形状にかなりの歪みを生じる可能性がある。また、コヒーレントな光パルスの場合、遅延素子３０によって生じる遅延が時間的に変動すると、引き伸ばされる光パルス５０の形状に時間的変動が生じることになる。
【発明の開示】
【発明が解決しようとする課題】
【０００５】
さらに、光データの伝送が、基準クロックと比較した場合に、光データ・ストリームの状態遷移の不規則性、または、決定性変動であるジッタ（jitter、ゆらぎ）によって、損なわれる可能性がある。光データ送信機は、とりわけ、テストを受ける装置または伝送システムの付加ジッタの測定に用いられる場合、ジッタが少ないことが必要とされる。電子データ・ストリームの伝送ジッタを低減させ、ＲＺ（ゼロ復帰）符号化光データ・ストリームの伝送ジッタを低減させるための方法が存在する。ＲＺ光データ・ストリームの場合、論理「１」（光オン）を表わす光データ・ビットには、そのビットの単位間隔の一部（例えば、半分）について論理「０」（光オフ）が含まれている。一方、ＮＲＺ（非ゼロ復帰）符号化光データ・ストリームのジッタを低減させるための実用的な方法は存在しない。ＮＲＺ光データ・ストリームの場合、論理「１」（光オン）を表わす光データ・ビットは、そのビットの単位間隔全体にわたって論理「１」状態のままである。
【課題を解決するための手段】
【０００６】
本発明によれば、光パルスを光学的に引き伸ばして、関連する光データを第１のフォーマットから第２のフォーマットに変換するための方法及び装置が得られる。さらに、本発明によれば、光パルスを備える光データ・ストリームのジッタを光学的に低減させて、低ジッタ光データの伝送を可能にするための方法及び装置も得られる。
【発明を実施するための最良の形態】
【０００７】
次に、その例が添付の図面に示されている、本発明の実施態様について詳細に言及することにする。本発明の説明はこれらの実施態様に関連して行われるが、もちろん、本発明をこれらの実施態様に制限することを意図したものではない。それどころか、本発明は、付属の請求項によって定義される、本発明の理念及び範囲内に含むことが可能な、代替実施態様、修正実施態様、及び、同等実施態様を包含することを意図したものである。さらに、本発明の下記の詳細な説明では、本発明の完全な理解が得られるように、数多くの特定の詳細が明らかにされる。
【０００８】
本発明の解説において、「光」は、伝搬媒体（例えば、自由空間、導波路、伝送線路等）に関係なく、電磁信号の任意の形態（例えば、無線周波、マイクロ波、ミリメートル波、赤外線、可視光、紫外線、ｘ線等）に適用されるものと理解すべきである。さらに、「光パルス」は、パルスの持続時間にわたって「光」波の強度を高めるように、「光」波の強度に変調が施される、上述の事例の任意の１つに関連するものであることを理解すべきである。
【０００９】
図２Ａには、本発明の実施態様による光パルスストレッチャー２００が例示されており、光パルスストレッチャー２００に結合された光検出器２３０が示されている。上述のように、図１の分割遅延和パルスストレッチャー１００には、多くの欠点及び欠陥がある。本実施態様の光パルスストレッチャー２００によれば、これらの欠点及び欠陥が克服される。さらに、光パルスストレッチャー２００は、純粋に光学方式でパルス引伸ばしを実施するので、引伸ばしの前に、引き伸ばされるパルスに望ましくないジッタを導入する可能性のあるプロセスである、これらのパルスの電子形態への変換を必要とせずに、低ジッタのＲＺ光パルスの引伸ばしが可能になる。
【００１０】
図２Ａに描かれているように、本実施態様の光パルスストレッチャー２００には、長さＬの複屈折媒体（birefringent medium）２２０が含まれている。複屈折媒体２２０には、第１の主軸Ｆ（高速軸とも呼ばれる）と、高速軸Ｆに直交する第２の主軸Ｓ（低速軸とも呼ばれる）が含まれている。本実施態様の場合、光パルス２１０は、低速軸Ｓに沿って伝搬する速度よりも速い速度で、高速軸Ｆに沿って伝搬する。本実施態様の複屈折媒体２２０は、さまざまな材料のうちの任意のものから構成することが可能である。光ファイバ、複屈折水晶、及び、複屈折アルミナは、複屈折媒体２２０に適した材料の例である。すなわち、これらの材料組成によって、高速軸と低速軸の両方が得られる。ある実施態様では、複屈折媒体２２０は、偏光維持ファイバ（polarization maintaining fiber、ＰＭＦ）である。
【００１１】
光パルス２１０は、主軸Ｆ及びＳのいずれかと偏光のアライメントがとれた複屈折媒体２２０を介して送られる場合、複屈折媒体２２０を伝搬して、送り出されたときと同じ状態の偏光として現れる。例えば、図３Ａには、偏光が高速軸Ｆと平行な入力光パルス１が、複屈折媒体２２０を介して送られる場合の、光検出器２３０の電気出力Ｆ１が例示されている。さらに、図３Ａには、偏光が低速軸Ｓと平行な入力パルス２が、複屈折媒体２２０を介して送られる場合の、光検出器２３０の電気出力Ｓ２が例示されている。予測されるように、電気出力Ｓ２は、電気出力Ｆ１に対して遅延する。しかし、光パルス２１０が、主軸Ｆ及びＳとアライメントのとれない軸Ｃに沿って直線偏光をなすように送り出される場合、光パルス２１０の一部２１０Ａは、主軸の一方に沿って伝搬し、光パルス２１０の別の一部２１０Ｂは、もう１つの主軸に沿って伝搬する。
【００１２】
角度Ｍは、軸Ｃと高速軸Ｆとの間の角度である。角度Ｎは、軸Ｃと低速軸Ｓとの間の角度である。角度ＭとＮによって、複屈折媒体２２０を介して、高速軸Ｆ及び低速軸Ｓを進行する光パルスの量が決まる。例えば、角度Ｍ及びＮが４５度の場合、光パルス２１０の等分が、高速軸Ｆ及び低速軸Ｓに沿って進行する。こうした場合、複屈折媒体２２０の出力における、これら２つの部分の検出時には、結果としてパルス・タイプの形状が得られる。例えば、図３Ｂには、高速軸Ｆ及び低速軸Ｓに対して４５度の直線偏光をなす入力光パルスが、複屈折媒体２２０を介して送られる場合の、光検出器２３０の電気出力３１０が描かれている。電気出力３１０は、パルス・タイプの形状を備えている。さらに、角度Ｍが角度Ｎより大きい場合、光パルス２１０のより多くの部分が、低速軸Ｓに沿って進行する。一方、角度Ｎが角度Ｍより大きい場合、光パルスのより多くの部分が、高速軸Ｆに沿って進行する。
【００１３】
複屈折のため、光パルス２１０の２つの部分２１０Ａ及び２１０Ｂは、異なる速度で進行する。この結果、２つの変化が生じる。第１に、光パルス２１０の２つの部分２１０Ａ及び２１０Ｂが、異なる速度で長さＬにわたって進行し、異なる時間に複屈折媒体２２０の出力に到達するので、光パルスが、広がるか、または、引き伸ばされる。従って、長さＬの選択を利用して、光パルス２１０の２つの部分２１０Ａと２１０Ｂの間に所定の遅延を生じさせることが可能である。第２に、光パルス２１０の偏光状態が修正されることになる。従って、複屈折媒体２２０の出力には、２つの直交する偏光した光パルス２１０Ａ及び２１０Ｂが生じることになる。光パルス２１０Ａ及び２１０Ｂは、直交偏光しているので、先行技術の図１における従来の分割遅延和パルスストレッチャー１００での状況とは異なり、これらの光パルス２１０Ａ及び２１０Ｂが、光検出器２３０において互いに干渉することはない。
【００１４】
本発明の実施態様の１つでは、本実施態様の光パルス引き延ばし回路２００を用いて、光パルスを引き伸ばすことによって、関連する光データが第１のフォーマットから第２のフォーマットに変換される。例えば、ＲＺ光データ・ストリームは、光パルスストレッチャー２００を用いて、ＮＲＺ光データ・ストリームに変換することが可能である。一般に、ＮＲＺ光データ・ストリームにおける光パルスの持続時間は、ＲＺ光データ・ストリームにおける光パルスの持続時間のほぼ２倍である。
【００１５】
すなわち、ＲＺ光データ・ストリームの光パルス２１０は、複屈折媒体２２０（例えば、偏光維持ファイバ（ＰＭＦ）２２０）の主軸Ｆ及びＳに対して４５度の軸Ｃに沿って、直線偏光をなして、複屈折媒体２２０の入力に入射する。ある実施態様では、複屈折媒体２２０は、偏光維持ファイバ（ＰＭＦ）２２０である。
【００１６】
光パルス２１０は、ＰＭＦ２２０から出射する際、高速軸Ｆに沿って進行したもとの光パルス２１０の成分である早い光パルス２１０Ａと、低速軸Ｓに沿って進行したもとの光パルス２１０の成分である遅い光パルス２１０Ｂを含んでいる。ＮＲＺ光データの光パルスの持続時間がＲＺ光データの光パルスの持続時間のほぼ２倍である、ＲＺ・ＮＲＺ変換の場合、ＰＭＦ２２０の長さＬは、早い光パルス２１０Ａと遅い光パルス２１０Ｂとの到達時間差が、入力光パルス２１０持続時間にほぼ等しくなるように選択され、これによって、引伸ばし係数が２になる。他の場合には、ＰＭＦの長さＬは、入力光パルス２１０の持続時間の任意の何分の１か、または、任意の何倍かに基づく、早い光パルス２１０Ａと遅い光パルス２１０Ｂの到達時間差が得られるように選択される。
【００１７】
実際には、光検出器２３０がＰＭＦ２２０の出力に結合されない場合、ＰＭＦ２２０の出力は、単一モード・ファイバ（single mode fiber、ＳＭＦ）のような低複屈折媒体に結合され、早い光パルス２１０Ａと遅い光パルス２１０Ｂとのそれ以上の離隔を最小限にとどめる。光パルス２１０Ａ及び２１０Ｂが、最終的に光検出器２３０によって検出されると、結果生じる光電流２４０は、その持続時間が入力光パルス２１０の持続時間の２倍にほぼ等しい、任意の偏光の任意の光パルスの検出から生じる光電流と持続時間が同じになる。ＰＭＦ２２０の出力において、ＲＺ光データ・ストリームの光パルス２１０の持続時間は、ＮＲＺ光データ・ストリームに関連した持続時間にまで引き伸ばされる。
【００１８】
ＰＭＦ２２０の出力に、２つの直交偏光した光パルスが含まれるという事実によって、早い光パルス２１０Ａと遅い光パルス２１０Ｂとの干渉が阻止される。偏光に無感応な光検出器が、早い光パルス２１０Ａ及び遅い光パルス２１０Ｂを問題なく検出する。留意すべきは、偏光に感応する光検出器は、最初に、その偏光選択性を取り除かなければ、引き伸ばされた光パルスを正確に検分することができないという点である。
【００１９】
上述のように、光パルス２１０は、直線偏光（linear polarization）をなすようにして、複屈折媒体２２０の入力に送り込まれる。偏光コントローラを用いて、任意の偏光を適正な角度の直線偏光に変換することが可能である。光パルス２１０Ａ及び２１０Ｂは、単一複屈折媒体２２０を通って進行するので、例えば、温度変動に起因する伝搬時間の変動によって、高速パルス２１０Ａと低速パルス２１０Ｂとの間に生じる時間遅延の変動が最小限になる。
【００２０】
図２Ｂには、本発明の実施態様に従って光データを第１のフォーマットから第２のフォーマットに変換する方法２００Ａを示すフローチャートが例示されている。ある実施態様の場合、第１のフォーマットがＲＺ（ゼロ復帰）で、第２のフォーマットがＮＲＺ（非ゼロ復帰）である。
【００２１】
ステップ２８０において、ＲＺ光データが生成される。ＲＺ光データは、「パルス・カービング（pulse carving）」技法を用いてＮＲＺ光データのリタイミングを光学的に実施する光学リタイミング装置によって出力することが可能である。この「パルス・カービング」技法については後述することにする。
【００２２】
引き続きステップ２８５において、ＲＺ光データは、複屈折媒体に入力される。上述のように、複屈折媒体は、さまざまな材料のうちの任意のものから構成することが可能である。光ファイバ、複屈折水晶、及び、複屈折アルミナが、複屈折媒体に適した材料の例である。ある実施態様では、複屈折媒体２２０は、偏光維持ファイバ（ＰＭＦ）である。さらに、ＲＺ光データは、複屈折媒体の主軸Ｆ及びＳに対して４５度の軸に沿って、直線偏光をなして、複屈折媒体の入力に入射する。４５度の場合、等分のＲＺ光データが、高速軸Ｆ及び低速軸Ｓに沿って進行し、結果として、２つの部分が複屈折媒体の出力において検出される時には、パルス・タイプの形状が生じる。また、複屈折媒体は長さがＬである。
【００２３】
ステップ２９０では、ＲＺ光データは、長さＬの複屈折媒体を通って伝搬する。ある実施態様では、複屈折媒体の長さＬは、ＲＺ光データの早い光パルスとＲＺ光データの遅い光パルスとの到達時間差が、ＲＺ光データの光パルスの持続時間とほぼ等しくなるように選択され、引伸ばし係数が２になる。これが生じるのは、ＮＲＺ光データ・ストリームにおける光パルスの持続時間が、ＲＺ光データ・ストリームにおける光パルスの持続時間のほぼ２倍になるためである。
【００２４】
さらに、ステップ２９５において、複屈折媒体２２０の光出力が、光検出器２３０によって検出される。光出力には、高速軸Ｆに沿って進行したＲＺ光データの第１の部分（または第１の直交出力光パルス）と、低速軸Ｓに沿って進行したＲＺ光データの第２の部分（または第２の直交出力光パルス）が含まれている。これらの出力光パルスの組合せは、その光パルスがＲＺ光データの光パルスに対して引き伸ばされた、ＮＲＺ光データに相当する。光検出器２３０は、ＮＲＺ電気データを表わす光電流を発生するが、この光電流の形状は、ＲＺ光データの光パルスの形状に対して引き伸ばされたパルスに似ている。
【００２５】
図４には、本発明の実施態様による低ジッタＮＲＺ送信機４００が例示されている。多くの電子回路は、リタイミング、すなわち、基準クロックに対してデータ状態遷移の同期を取り直すことによってジッタを低減させる。ある光学リタイミング方式は、パルス・カービングによって実施される。この方法の場合、光データ変調器を利用し、基準クロックに基づいて、ＮＲＺ光データ・ストリームの小幅部分の「カービングが施される」。パルス・カーバを駆動するクロックにはデータ依存ジッタがないので、結果生じるＲＺデータ・パルスには、ほとんどデータ依存ジッタがない。従って、ＮＲＺ光データ遷移のデータ依存ジッタは、ほとんど除去される。
【００２６】
図４に示すように、低ジッタＮＲＺ送信機４００には、ＮＲＺ光データ生成器４７０、第１の光媒体（例えば、光学リタイミング装置４９４）、及び、第２の光媒体（例えば、光パルスストレッチャー２００）が含まれている。すなわち、第１の光媒体及び第２の光媒体は、ＮＲＺ光データ生成器４７０によって生じた光データ・ストリームのジッタを光学的に低減させるが、光データ・ストリームは、光パルスを有している。ある実施態様の場合、上述のように、第１の光媒体が光学リタイミング装置４９４であり、一方、第２の光媒体はパルスストレッチャー２００である。
【００２７】
光学リタイミング装置４９４は、第１のフォーマットで符号化され、第１レベルのジッタを含む光データ・ストリームを受信するようになっている。さらに、光学リタイミング装置４９４は、光データ・ストリームのジッタを光学的に低減させる。光学リタイミング装置４９４は、さらに、第１のフォーマットで符号化された光データ・ストリームのフォーマットを、第１レベルのジッタより低い第２レベルのジッタを有する第２のフォーマットに変換する。ある実施態様では、第１のフォーマットは、光ＮＲＺ（非ゼロ復帰）フォーマットであり、一方、第２のフォーマットは、ＲＺ（ゼロ復帰）フォーマットである。
【００２８】
光パルスストレッチャー２００は、第２のフォーマットで符号化された光データ・ストリームを受信するようになっている。さらに、光パルスストレッチャー２００は、光データ・ストリームを光学的に引き伸ばして、第２のフォーマットで符号化された光データ・ストリームのフォーマットを、第２レベルのジッタ以下の第３レベルのジッタを有する第１のフォーマットに変換する。従って、光パルスストレッチャー２００は、純粋に光学方式でパルス引伸ばしを実施するので、引き伸ばされた光パルスに望ましくないジッタを導入する可能性のあるプロセスである、引伸ばし前における、これらの光パルスの電子形態への変換を必要とすることなく、低ジッタのＲＺ光パルスを引伸ばすことが可能になる。
【００２９】
ＮＲＺ光データ生成器４７０内において、低データ転送速度の電気データ４４０が、クロック４６０によって同期がとられるマルチプレクサ４３０によって、高データ転送速度の電気データ・ストリーム４５０（ＮＲＺフォーマット）に多重化される。レーザのような光源４１０によって連続した光が変調器４２０に送られ、変調器４２０は、ＮＲＺ電気データ・ストリーム４５０から得られるＮＲＺ光データ・ストリーム４８０を生成する。ＮＲＺ光データ・ストリーム４８０には、ＮＲＺ電気データ・ストリーム４５０のジッタ（例えば、第１レベルのジッタ）、及び、変調器４２０によって付加される他の何らかのジッタが含まれている。
【００３０】
さらに、光学リタイミング装置４９４内において、クロック４６０は、光学ＡＮＤゲートの働きをする、電気光学変調器２（４９２）を駆動する。すなわち、電気光学変調器２（４９２）は、ＮＲＺ光データ・ストリーム４８０及びクロック信号４９０が論理「１」状態にある場合に限って、光を通過させる。結果生じる出力光データ・ストリーム４９８には、ジッタが低減したＲＺ符号化パルスａ及びｃ（例えば、第１レベルのジッタより低い第２レベルのジッタ）が含まれている。次に、光パルスストレッチャー２００は、上述のように、結果生じる出力光データ・ストリーム４９８をＮＲＺ光データ・ストリーム４９９に変換するが、ＮＲＺ光データ・ストリーム４９９には、結果生じる出力光データ・ストリーム４９８の低ジッタ特性（例えば、第２レベルのジッタ以下の第３レベルのジッタ）が含まれている。
【００３１】
図５Ａには、本発明の実施態様による光学リタイミング及び光パルスストレッチャーを用いない場合の、図４の低ジッタＮＲＺ送信機からのＮＲＺフォーマットによるＰＲＢＳ（擬似ランダム２進シーケンス）アイ・ダイヤグラムが例示されている。図５Ｂには、本発明の実施態様による、光学リタイミング及び光パルスストレッチャーを用いた場合の、図４の低ジッタＮＲＺ送信機からのＮＲＺフォーマットによるＰＲＢＳ（擬似ランダム２進シーケンス）アイ・ダイヤグラムが例示されている。これらの実験結果では、図５Ａと図５Ｂの間で約３：１のジッタ改善が示されている。本例では、この特定のジッタ改善が示されるが、本発明は、他の範囲のジッタ改善を施すのにも適している。
【００３２】
本発明の特定の実施態様に関する以上の説明は、例証及び解説を目的として提示されたものである。前記説明は、網羅的であろうとか、本発明を開示の形態にそっくりそのまま制限しようとするものではなく、上記教示に鑑みて、多様な修正及び変更が可能である。実施態様は、本発明の原理及びその実際の適用例を最も分りやすく説明することによって、他の当該技術者が、企図する特定の用途に適合するように、さまざまな修正を施して、本発明及びさまざまな実施態様を最も有効に利用できるようにするために選択され、解説された。本発明の範囲は、付属の請求項及びその同等物によって規定されるものとする。
【図面の簡単な説明】
【００３３】
【図１】パルスを引き伸ばすための従来のシステムを例示した先行技術の図である。
【図２Ａ】本発明の実施態様による光パルスストレッチャーを例示し、光パルスストレッチャーに結合された光検出器を示す図である。
【図２Ｂ】本発明の実施態様に従って、光データを第１のフォーマットから第２のフォーマットに変換する方法を示すフローチャートである。
【図３Ａ】本発明の実施態様による図２Ａの光検出器の第１の電気出力を例示した図である。
【図３Ｂ】本発明の実施態様による図２Ａの光検出器の第２の電気出力を例示した図である。
【図４】本発明の実施態様による低ジッタのＮＲＺ送信機を例示した図である。
【図５Ａ】本発明の実施態様による光学リタイミング及び光パルスストレッチャーを用いない場合の、図４の低ジッタＮＲＺ送信機からのＮＲＺフォーマットによるＰＲＢＳアイ・ダイヤグラムである。
【図５Ｂ】本発明の実施態様による光学リタイミング及び光パルスストレッチャーを用いた場合の、図４の低ジッタＮＲＺ送信機からのＮＲＺフォーマットによるＰＲＢＳアイ・ダイヤグラムである。
【符号の説明】
【００３４】
２００  フォーマット変換装置
２１０  光パルス
２２０  複屈折媒体
４００  光データ送信システム
４７０  光データ生成器
４８０  第一の光データ
４９８  第二の光データ
４９４  光学リタイミング装置
【図１】
2004201327.tif 000003
【図２Ａ】
2004201327.tif 000004
【図２Ｂ】
2004201327.tif 000005
【図３Ａ】
2004201327.tif 000006
【図３Ｂ】
2004201327.tif 000007
【図４】
2004201327.tif 000008
【図５Ａ】
2004201327.tif 000009
【図５Ｂ】
2004201327.tif 000010